(57)【要約】【課題】  スピーカの製造時などにおけるテストが、そのスピーカ用のオーディオ機器を用意しなくても適正に行えるようにする。【解決手段】  オーディオ再生装置１０と組み合わせて使用されるスピーカ２０Ｌ，２０Ｒをテストする場合に、オーディオ再生装置１０のスピーカ接続端子を、所定の減衰量のアッティネータ４２Ｌ，４２Ｒを介してオーディオ記録装置３０に接続して、オーディオ再生装置３０で、テスト用のオーディオ信号と、基準信号とを再生して、その再生した信号をオーディオ記録装置３０で所定の媒体に記録し、その記録した媒体を、テストするスピーカが接続されたオーディオ再生装置１０とは別のオーディオ再生装置に装填して、基準信号を再生して所定の出力状態となるように調整した上で、テスト用のオーディオ信号を再生して、スピーカのテストを行うようにした。【選択図】      図１
2005064908.tif 000002
【特許請求の範囲】
【請求項１】
所定の構成のオーディオ再生装置と組み合わせて使用されるスピーカをテストするスピーカテスト方法において、
前記所定の構成のオーディオ再生装置のスピーカ接続端子を、所定の減衰量のアッティネータを介してオーディオ記録装置に接続して、
前記オーディオ再生装置で、テスト用のオーディオ信号と、基準信号とを再生して、その再生した信号を前記オーディオ記録装置で所定の媒体に記録し、
前記媒体を、テストするスピーカが接続された前記オーディオ再生装置とは別のオーディオ再生装置に装填して、前記基準信号を再生して所定の出力状態となるように調整した上で、前記テスト用のオーディオ信号を再生して、スピーカのテストを行う
スピーカテスト方法。
【請求項２】
請求項１記載のスピーカテスト方法において、
前記所定の構成のオーディオ再生装置のスピーカ接続端子のレベルを測定し、
前記媒体を、テストするスピーカが接続された前記オーディオ再生装置とは別のオーディオ再生装置に装填して、前記基準信号を再生して所定の出力状態となるように調整する際に、スピーカ接続端子のレベルが前記測定した値とほぼ等しくなるように調整する
スピーカテスト方法。
【請求項３】
請求項１記載のスピーカテスト方法において、
前記所定の構成のオーディオ再生装置に、ホワイトノイズ発生手段を接続して、ホワイトノイズ発生手段が出力するホワイトノイズを、テスト用のオーディオ信号とする
スピーカテスト方法。
【発明の詳細な説明】
【技術分野】
【０００１】
本発明は、例えばハイファイオーディオ再生用のスピーカを、製造時にテストするのに好適なスピーカテスト方法に関する。
【背景技術】
【０００２】
従来、ＣＤ（コンパクトディスク）などを再生して得られる比較的高音質のオーディオを出力させるためのスピーカを製造する際には、そのスピーカに実際にオーディオ信号を供給して放音させて、オーディオの出力状態をチェックするテストが行われている。また、ある程度長い時間スピーカを駆動させて、スピーカ内部の振動板などが正常に動くように調整するエージング作業と称される処理を、製造時に行うことがある。
【０００３】
この場合、スピーカと組み合わせて使用されるオーディオ機器（アンプ装置など）が予め決まっている場合（即ちアンプ装置等とスピーカとがセットで販売される場合など）には、そのオーディオ機器に製造されたスピーカを接続して、そのオーディオ機器で再生されたオーディオ信号をスピーカに供給して、スピーカから放音させてテストを行うのが好ましい。
【０００４】
このようにテストを行うことで、スピーカが実際にユーザ側で使用される状況と等しい状況でオーディオ信号を供給してテストを行うことができ、再生音の歪みの有無などのチェックが正しく行える。
【０００５】
特許文献１には、スピーカの製造時に、エージング作業と称されるスピーカを動作させることについての開示がある。
【特許文献１】特開２００２−２４７６８８号公報
【発明の開示】
【発明が解決しようとする課題】
【０００６】
ところで、上述したように、スピーカに接続されるオーディオ機器が決まっている場合に、そのオーディオ機器を接続してテストを行うためには、スピーカを製造する工場で、そのオーディオ機器を用意する必要がある。スピーカとアンプ装置とが同一の工場内で製造される際には、そのようなことは何ら問題がないが、実際には、アンプ装置などのオーディオ機器と、スピーカとは別の工場で製造されるのが一般的である。従って、スピーカを製造する工場に、わざわざアンプ装置やディスク再生装置などを運び込んで、製造されたスピーカに接続させる必要があり、非常に手間がかかる問題があった。
【０００７】
本発明はかかる点に鑑みてなされたものであり、スピーカの製造時などにおけるテストが、そのスピーカ用のオーディオ機器を用意しなくても適正に行えるようにすることを目的とする。
【課題を解決するための手段】
【０００８】
本発明は、所定の構成のオーディオ再生装置と組み合わせて使用されるスピーカをテストする場合に、所定の構成のオーディオ再生装置のスピーカ接続端子を、所定の減衰量のアッティネータを介してオーディオ記録装置に接続して、オーディオ再生装置で、テスト用のオーディオ信号と、基準信号とを再生して、その再生した信号をオーディオ記録装置で所定の媒体に記録し、その記録した媒体を、テストするスピーカが接続されたオーディオ再生装置とは別のオーディオ再生装置に装填して、基準信号を再生して所定の出力状態となるように調整した上で、テスト用のオーディオ信号を再生して、スピーカのテストを行うようにしたものである。
【０００９】
このようにしたことで、スピーカのテスト時にスピーカに入力するオーディオ信号が、本来接続されるオーディオ再生装置から供給されるオーディオ信号と、実質的に等しい信号となり、実際の使用状態を想定したテストが可能になる。
【発明の効果】
【００１０】
本発明によると、スピーカのテスト時にスピーカに入力するオーディオ信号が、本来接続されるオーディオ再生装置から供給されるオーディオ信号と、実質的に等しい信号となり、実際の使用状態を想定した正確なテストが可能になる。従って、スピーカの製造工場に、一々、そのスピーカ用のオーディオ再生装置を運ばなくても、ある程度精度の高いオーディオ再生装置をスピーカ工場に用意して、テスト信号を記録した媒体だけをスピーカ工場に送って、その工場に用意されたオーディオ再生装置で送られた媒体を再生してテストを行えば良く、製造時のスピーカテストに要する手間とコストを大幅に削減できる。
【発明を実施するための最良の形態】
【００１１】
以下、本発明の一実施の形態を、添付図面を参照して説明する。
【００１２】
本実施の形態においては、スピーカの製造後に、主として工場などで出荷前にテストを行うようにしたものである。まず、図１に示した構成にて、基準ディスクを作成する処理を行う。この基準ディスクの作成処理は、例えばスピーカ又はオーディオ再生装置を試作する側で行う。具体的には、本例のテストを行うスピーカと同じ構成の既に完成したスピーカ２０Ｌ，２０Ｒを用意して、その左右１組のスピーカ２０Ｌ，２０Ｒを、そのスピーカとセットで使用（販売）される構成のオーディオ再生装置１０に接続する。ここでは、オーディオ再生装置１０として、ＣＤ再生部１２と、グラフィックイコライザ１３と、ボリューム１４と、パワーアンプ部１５などを備える。また、このオーディオ再生装置１０の外部オーディオ入力端子には、ホワイトノイズ発生手段としてのホワイトノイズ発生器１６が接続してある。そして、オーディオ再生装置１０の左チャンネル用のスピーカ接続端子１１Ｌを、左チャンネルのスピーカ２０Ｌに接続し、右チャンネル用のスピーカ接続端子１１Ｒを、右チャンネルのスピーカ２０Ｒに接続する。スピーカ２０Ｌ，２０Ｒの具体的構成については、ここでは特に説明しないが、例えば、振動板を駆動するスピーカユニットが、キャビネット内に収納された各種スピーカ装置が適用可能であり、複数のスピーカユニットが配置された２ウェイ型，３ウェイ型のスピーカ装置であっても良い。
【００１３】
そして本例においては、オーディオ再生装置１０のスピーカ接続端子１１Ｌ，１１Ｒを、ディスク記録装置３０のオーディオ入力端子に接続する。ディスク記録装置３０としては、例えばＣＤ−Ｒ（又はＣＤ−ＲＷ）を記録媒体として、オーディオ信号をデジタルデータとして記録する記録装置を使用する。但し、スピーカ接続端子１１Ｌ，１１Ｒから出力されるオーディオ信号レベルは、スピーカ駆動用の大電力の信号レベルであり、アッティネータ４２Ｌ，４２Ｒで信号レベルを所定量減衰させて記録できるレベルとして、ディスク記録装置３０に入力させる。各アッティネータ４２Ｌ，４２Ｒは、例えば図１に示すように抵抗器Ｒ１，Ｒ２を接続させて構成される。抵抗器Ｒ１，Ｒ２としては可変抵抗器を使用して、減衰量を調整できるようにしても良い。また、スピーカ接続端子１１Ｌ，１１Ｒとアッティネータ４２Ｌ，４２Ｒとの間には、レベルメータ４１Ｌ，４１Ｒが接続してある。このレベルメータ４１Ｌ，４１Ｒは、電力レベルを計るメータが使用されるが、電圧計を使用することもできる。本例の場合にも電圧計を使用してある。
【００１４】
このように接続した状態で、テスト用の音楽が記録されたテスト用音楽ディスク１と、一定周波数の信号が所定レベルで記録された基準信号記録ディスク２とを用意して、オーディオ再生装置１０のＣＤ再生部１２に順に装填して再生させる。テスト用音楽ディスク１に記録されたテスト用の音楽としては、例えば比較的レベルの大きな音が出力される音楽とする。基準信号記録ディスク２に記録される一定周波数の信号としては、例えば１ｋＨｚの信号を２０ｄＢで記録した信号とする。ディスク記録装置３０には、信号が未記録のディスクを用意して、そのディスクに信号を記録させて、基準ディスクであるテスト用ディスク３とする。なお、ディスク記録装置３０としては、オーディオ信号記録用の専用の記録装置を用意しても良いが、例えばＣＤ−Ｒへの書込みが可能なディスクドライブが取付けられたパーソナルコンピュータ装置を使用しても良い。
【００１５】
次に、図１に示した構成で基準ディスクを製作する処理を、図２のフローチャートを参照して説明する。まず、図１に示したように、テストするスピーカと同じ構成のスピーカ２０Ｌ，２０Ｒとオーディオ機器（オーディオ再生装置）１０とを接続し（ステップＳ１１）、テスト用音楽ディスク１をＣＤ再生部１２に装填して、そのディスク１に記録されたテスト用の音楽を再生する。その後、ディスク２に入れ換えて、ディスク２に記録されていた一定周波数の基準信号を再生する（ステップＳ１２）。なお、ボリュームコントロール部１４でのボリューム値については、例えばスピーカ２０Ｌ，２０Ｒで本来歪みなく再生可能な最大のレベルのように、比較的大きなレベルに調整しておき、ディスク１を再生する場合と、ディスク２を再生する場合とで、ボリューム値は等しくする。
【００１６】
そして、両ディスク１，２を再生する際に、ディスク記録装置３０で、スピーカ接続端子１１Ｌ，１１Ｒから出力されるオーディオ信号をディスク３に記録させる（ステップＳ１３）。この記録される信号は、アッティネータ４２Ｌ，４２Ｒで減衰させた信号である。ディスク３には、例えば、トラック１（１曲目）に、テスト用音楽ディスク１から再生させたテスト用音楽を記録させ、トラック２（２曲目）に、ディスク２から再生させた基準信号を記録させる。そして、この記録時には、ディスク２から基準信号を再生させた際の、レベルメータ４１Ｌ，４１Ｒでのレベル値（ｄＢ値又は電圧値）を測定者が見て、記録しておく。
【００１７】
なお、オーディオ再生装置１０には、ホワイトノイズ発生器１６が接続してあり、このホワイトノイズ発生器１６から出力されるホワイトノイズを、オーディオ信号として出力させて、ディスク記録装置３０でディスク３に記録させても良い。
【００１８】
このようにして製作されたテスト用ディスク３は、スピーカを製造してテストする工場に送る。そして、そのテスト用ディスク３が届いた工場側では、例えば図３に示すような構成で、テスト処理を行う。即ち、工場内には、予めＣＤを再生するディスク再生装置５０と、そのディスク再生装置５０で再生されたオーディオ信号の出力レベルを調整するボリュームコントロール装置６０と、そのボリュームコントロール装置６０が出力するオーディオ信号を増幅するパワーアンプ装置７０とを用意しておく。これらのオーディオ再生装置５０，６０，７０は、いわゆるプロフェッショナル用（業務用）のハイファイオーディオ再生を行う機器を使用して、図１に示したオーディオ再生装置１０よりもオーディオ再生特性が優れたものを使用してあり、特にパワーアンプ装置７０は、高出力タイプのものが使用される。
【００１９】
そして、パワーアンプ装置７０の左右のチャンネルのスピーカ接続端子７１Ｌ，７１Ｒに、この工場で製造された左右のチャンネルのスピーカ２０Ｌ′，２０Ｒ′を接続する。このスピーカ２０Ｌ′，２０Ｒ′は、テスト用ディスク３を製作する際に接続したスピーカ２０Ｌ，２０Ｒと同一の構成のものである。また、スピーカ接続端子７１Ｌ，７１Ｒと、スピーカ２０Ｌ，２０Ｒとの間には、レベルメータ８１Ｌ，８１Ｒを接続する。このレベルメータ８１Ｌ，８１Ｒは、テスト用ディスク３を製作時に使用したレベルメータ４１Ｌ，４１Ｒ（図１参照）と同様に、電力計又は電圧計が使用可能である。
【００２０】
次に、このように接続してスピーカ２０Ｌ′，２０Ｒ′のテストを行う処理を、図４のフローチャートを参照して説明する。まず、図３に示すように、工場内に予め用意されたオーディオ再生装置（ディスク再生装置５０，ボリュームコントロール装置６０，パワーアンプ装置７０）に、スピーカ２０Ｌ′，２０Ｒ′を接続する（ステップＳ２１）。そして、ディスク再生装置５０にテスト用ディスク３を装填して、そのディスク３のトラック２に記録された基準信号を再生する（ステップＳ２２）。このとき、レベルメータ４１Ｌ，４１Ｒで示されるレベル値が、このディスク３を製作時に検出されたレベル値と等しくなるように、ボリュームコントロール装置６０で出力ボリュームを調整する（ステップＳ２３）。このボリューム調整が終了すると、テスト用ディスク３のトラック１に記録されたテスト用音楽を、繰り返し決められた時間再生させる（ステップＳ２４）。このテスト用の音楽の再生時には、単に再生されたオーディオが良好であるか否かを判断するだけである場合には、短時間再生を行うだけでも良い。また、スピーカの振動板などのエージング作業を兼ねる場合には、そのエージング作業で必要な時間（例えば数時間）連続して再生させる必要がある。
【００２１】
このようにしてスピーカ２０Ｌ′，２０Ｒ′にオーディオ信号を供給して、放音させることで、このとき出力される音は、このスピーカ２０Ｌ′，２０Ｒ′に本来組み合わされるオーディオ再生装置（図１に示した再生装置１０）を接続して、そのオーディオ再生装置を使用してテスト用音楽を再生させた場合と、同様の周波数特性の音になる。従って、例えば、このテスト状態でスピーカ２０Ｌ′，２０Ｒ′から出力される音が歪みのない適正な音響である場合には、オーディオ再生装置１０と組み合わせて使用して問題のないスピーカであることが判る。また、テスト状態でスピーカ２０Ｌ′，２０Ｒ′から出力される音が歪むようなことがある場合には、オーディオ再生装置１０と組み合わせて使用した場合に、何らかの問題があるスピーカであることが判る。
【００２２】
このように本例によると、本来、特定の構成のオーディオ再生装置（図１に示した装置１０）と組み合わされて使用されるスピーカのテストが、そのオーディオ再生装置１０が無くても、オーディオ再生装置１０を接続した場合と同じ条件で行えるので、スピーカを製造する工場には、テスト用ディスク３を送付するだけで良く、一々、オーディオ再生装置１０を送る必要がなくなり、スピーカのテストがそれだけ簡単に行えるようになる。スピーカを製造する工場側でのテスト時には、スピーカの機種が変わっても、いつも同じパワーアンプ装置７０などを使用してテストが行え、テスト用ディスク３だけを対応したものに変えるだけで良く、テストを行う効率が向上する。
【００２３】
なお、テスト用ディスク３にホワイトノイズを記録させた場合には、スピーカ２０Ｌ′，２０Ｒ′にホワイトノイズを供給して出力させるテストも行うことができる。この場合には、スピーカを製造する工場側に、ホワイトノイズ発生手段が用意されてない場合にも、ホワイトノイズの印加によるテストが可能になる。
【００２４】
また、上述した実施の形態では、テスト用ディスク３として、ＣＤ−Ｒを使用するようにしたが、その他のオーディオ信号が記録できる記録媒体を使用しても良い。例えば、メモリカードなどの記録媒体を使用しても良い。或いは、図１に示したディスク記録装置３０として、パーソナルコンピュータ装置を使用して、メモリやハードディスクなどの媒体にテスト用のデータ（ディスク３に記録されるデータと同じデータ）を記録させた場合には、そのテスト用のデータを、インターネットなどを介して、スピーカを製造する工場側に転送して、工場側で、テスト用のデータを再生できる形態にする（例えばＣＤ−Ｒなどの媒体に記録する）ようにしても良い。
【図面の簡単な説明】
【００２５】
【図１】本発明の一実施の形態による基準ディスクの作成処理構成の例を示す構成図である。
【図２】本発明の一実施の形態による基準ディスクの作成処理例を示すフローチャートである。
【図３】本発明の一実施の形態による基準ディスクを使用したスピーカテスト構成の例を示す構成図である。
【図４】本発明の一実施の形態による基準ディスクを使用したスピーカテスト処理の例を示すフローチャートである。
【符号の説明】
【００２６】
１…テスト用音楽ディスク、２…基準信号記録ディスク、３…テスト用ディスク、１０…オーディオ再生装置、１１Ｌ，１１Ｒ…スピーカ接続端子、１２…ＣＤ再生部、１３…グラフィックイコライザ、１４…ボリューム、１５…パワーアンプ部、１６…ホワイトノイズ発生器、２０Ｌ，２０Ｒ，２０Ｌ′，２０Ｒ′…スピーカ、３０…ディスク記録装置、４１Ｌ，４１Ｒ…レベルメータ、４２Ｌ，４２Ｒ…アッティネータ、５０…ディスク再生装置、６０…ボリュームコントロール装置、７０…パワーアンプ装置、８１Ｌ，８１Ｒ…レベルメータ
【図１】
2005064908.tif 000003
【図２】
2005064908.tif 000004
【図３】
2005064908.tif 000005
【図４】
2005064908.tif 000006